(57)【要約】【課題】この発明は、収容した餌の取り出しを、簡便にして容易に実現して、使い勝手の向上を図り得るようにすることにある。【解決手段】底面と側面を有し、上方に開口１０１が設けられた容器本体１０を、シート状の合成樹脂材２１を用いて一体成形して形成し、所期の目的を達成した。【選択図】    図１
2004283015.tif 000002
【特許請求の範囲】
【請求項１】
底面と側面を有し、上方に開口されたが設けられた容器本体を、合成樹脂シートで一体成形して形成したことを特徴とする餌箱。
【請求項２】
前記容器本体は、内面側に該容器本体と一体に形成される仕切り部を有し、外面側に前記仕切り部を形成する凹部が設けられることを特徴とする請求項１記載の餌箱。
【請求項３】
前記容器本体は、前記合成樹脂シートを熱プレス加工して形成したことを特徴とする請求項１又は２記載の餌箱。
【請求項４】
前記容器本体は、前記合成樹脂シートを真空成型して形成したことを特徴とする請求項１又は２記載の餌箱。
【発明の詳細な説明】
【０００１】
【発明の属する技術分野】
本発明は、魚釣りに際して餌を収容して携帯する餌箱に関する。
【０００２】
【従来の技術】
従来より、この種の餌箱としては、軽く、体に当たっても痛くなく、周辺にぶつけても割れにくいように柔軟性を有する材料で形成した容器本体が備えられている。このような容器本体は、エチレン酢酸ビニールやポリウレタン等の合成樹脂材の薄い柔軟性を有する合成樹脂シートを、縫着や溶着等の手法を用いて所望の箱形状に接合することにより、柔軟な外壁構造のものが形成される。
【０００３】
ところで、このような餌箱は、その使い勝手を考慮して、例えば容器本体内に遮断板よりなる仕切りを抜き差し自在に設けて、複数種の餌を収容可能としたものも出現される（例えば、特許文献１参照）。
【０００４】
また、合成樹脂シートを縫着や溶着等により所望の箱形状に接合して形成するものとしては、釣り用バケツも知られている（例えば、特許文献２参照）。この釣り用バケツには、同様に着脱自在な仕切り設けられている。
【０００５】
【特許文献１】
実開昭５０―１４９５８９号公報  （第１図、第２図）
【０００６】
【特許文献２】
特開平１１―３４６６２２号公報  （図１、図２）
【０００７】
【発明が解決しようとする課題】
以上述べたように、従来の餌箱では、合成樹脂シートを縫着や溶着等により、接合して容器本体を形成しているために、その底面等の角部に接合段差が生じることで、この接合段差にある餌が取り出しずらく、内部に残ってしまうという問題を有する。
【０００８】
また、容器本体内に着脱自在な仕切り部が存在する場合には、容器本体の内面と仕切り部との境界部位に同様の段差が生じるために、収容した餌が段差にあると、さらに、その餌も取り出しずらく、内部に残ってしまうという不都合を有する。
【０００９】
さらに、従来の釣り用バケツにおいても、餌箱として使用する場合には、同様に底面等の角部に接合段差が生じているために、同様に、この接合段差にある餌が、取り出しずらく、内部に残ってしまうという不都合を有する。また、同様に仕切り部がある場合には、仕切り部と容器本体の内面との境界部位にも段差が生じるために、その段差部位の餌が取り出しずらいという不都合を有する。
【００１０】
また、上記餌箱及び釣り用バケツでは、いずれも縫着や溶着等の手法により、所望の箱形状の容器本体を形成しているために、その製作が面倒であるという不都合を有する。
【００１１】
この発明は、上記の事情に鑑みてなされたもので、収容した餌の取り出しを、簡便にして容易に実現して、使い勝手の向上を図り得るようにした餌箱を提供することを目的とする。
【００１２】
【課題を解決するための手段】
この発明は、底面と側面を有し、上方に開口が設けられた容器本体を、合成樹脂シートで一体成形して餌箱を構成した。
【００１３】
上記構成によれば、容器本体を合成樹脂シートにより、一体成形していることにより、その内面の角部が滑らかな略弧状に形成されることにより、餌が角部に存在しても、比較的、容易に取り出すことが可能となる。従って、使い勝手の向上が図れる。
【００１４】
【発明の実施の形態】
以下、この発明の実施の形態について、図面を参照して説明する。
【００１５】
図１は、この発明の一実施の形態に係る餌箱を示すもので、容器本体１０は、例えば、０．５ｍｍ〜２ｍｍの肉厚を有したエチレン酢酸ビニール、ポリウレタン等の防水性を有した合成樹脂シートであるシート状の合成樹脂材を、例えば後述する真空成形法（バキューム成形）等の手法により上方となる一方面に略四辺形状の開口１０１が設けられた、いわゆる略皿状や略箱状等に一体成形される。ここで、容器本体１０は、例えばその底面より、側壁が若干、外方向に傾斜されて開口１０１が底面に比して径大の形成され、餌の出し入れが容易となるように形成される。
【００１６】
容器本体１０には、その内面側に一方の側壁から他方の側壁間に亘って仕切り部１１が一体に設けられ、内部に第１及び第２の収容部１２，１３が分離されて設けられる（図２参照）。これにより、容器本体１０の外面側には、上記仕切り部１１を構成する凹部１１１が一方の側面から他方の側面に亘って略溝状に形成される。ここで、容器本体１０は、その内部の第１及び第２の収容部１２，１３の各角部が、略弧を描いて滑らかな状態で連結された状態で分離形成される。これにより、容器本体１０は、その第１及び第２の収容部１２，１３に存在する水分が、相互間で行き来することがなくなると共に、外部からの水の侵入が防止され、内部に収容される水の外部への漏れが防止される。
【００１７】
ここで、上記真空成形法について説明する。例えば、上記容器本体１０は、図３に示すように真空成形（バキューム成形）法により一体成形される。この真空成形法では、容器本体１０の外形形状に対応した内形形状を有した真空成形用金型２０を用いる。この金型２０には、複数の挿通孔２０１が所定の間隔に設けられる。そして、この金型２０は、図示しない加熱機を用いて加熱した状態で、その内壁に沿わせて上述したシート状の合成樹脂材２１を収容し、その開口側に蓋体２２が被着されて密閉される。
【００１８】
ここで、金型２０を加熱しながら図示しない真空ポンプを駆動して、金型２０内の空気を、複数の挿通孔２０１から吸引する。すると、金型２０の内壁に沿わせて収容されたシート状の合成樹脂材２１は、加熱と吸引力により、変形して金型２０の内壁に密着されて、その角部が全て滑らかな略弧を描いて連結される上記容器本体１０が一体成形される。このように、容器本体１０は、その製作に従来のような接合工程がなくなることで、量生産化の促進が可能となる。
【００１９】
また、上記容器本体１０には、その開口１０１の周囲に外方向に折曲げた折曲げ部１０２が設けられる（図２参照）。この折曲げ部１０２には、例えば金属製の補強用フレーム部材１４が内装され、その先端部が溶着や縫着により容器本体１０の開口１０１の周囲に取り付けられる。これにより、容器本体１０は、その開口１０１側が所望の強度に保たれる。
【００２０】
さらに、上記容器本体１０には、その上面となる一方面に第１及び第２の蓋体１５，１６が上記第１及び第２の収容部１２，１３を閉塞するようにヒンジ１７，１８を介して矢印Ａ、Ｂ方向に開閉自在に配される。
【００２１】
上記容器本体１０には、その側部の外壁に図示しないベルト掛け部が設けられる。このベルト掛け部（図示せず）は、例えば釣り人のベルト等の体の一部に引っ掛けられて、釣り人の移動に伴って一緒になって容器本体１０が移動されて移動位置において使用可能とする。
【００２２】
上記構成において、容器本体１０の仕切り部１１を構成する凹部１１を取付け部として使用する使用形態がある。この使用形態では、容器本体１０は、例えば図４及び図５に示すように、容器本体１０の外面に設けられた凹部に対して、釣り用バケツ３０の開口３０１の携帯ハンドル３１の配していない側部を圧入する如く挿入されて釣り用バケツ３０に取り付けられる。この際、容器本体１０は、その材質の特性から柔軟性を有することで、その凹部１１１が変形して釣り用バケツ３０の開口３０１の側部が挿入されて持ち運びが可能な程度の強度を有して取付けられる。
【００２３】
これにより、容器本体１０は、釣り用バケツ３０の携帯ハンドル３１を手にして該釣り用バケツ３０を持ち運ぶのと、同時に持ち運ぶことが可能となる。そして、この使用形態にあっては、容器本体１０が釣り用バケツ３０に取り付けられていることで、間違って蹴飛ばしてしまったりすることも確実に防止することが可能となる。
【００２４】
このように、上記餌箱は、底面と側面を有し、上方に開口１０１が設けられた容器本体１０を、シート状の合成樹脂材２１を用いて一体成形して形成した。
【００２５】
これによれば、容器本体１０が一体成形していることにより、その内面の角部が滑らかな略弧状に形成されて段差が生じないことにより、収容した餌が角部に存在しても、比較的、容易に取り出すことが可能となる。また、これによれば、製作に従来のような接合工程がなくなることにより、簡便にして容易な製作が可能となり、量産化の促進を図ることが可能となる。
【００２６】
なお、上記実施の形態では、容器本体１０を、四辺形状の開口１０１を有した断面四辺形状に形成した場合で説明したが、これに限ることなく、その他、断面円形状や断面小判形状等の各種の形状に形成することが可能である。
【００２７】
また、上記実施の形態では、容器本体１０に第１及び第２の収容部１２，１３の二つを設けるように構成した場合で説明したが、これの限ることなく、３つ以上の収容部を設けるように構成したり、あるいは一つの収容部を設けるように構成することも可能である。
【００２８】
さらに、上記実施の形態では、容器本体１０を真空成形法で形成した場合で説明したが、これに限ることなく、その他、周知の熱プレス成形法等により一体成形することが可能である。
【００２９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３１】
【発明の効果】
以上詳述したように、この発明によれば、収容した餌の取り出しを、簡便にして容易に実現して、使い勝手の向上を図り得るようにした餌箱を提供することができる。
【図面の簡単な説明】
【図１】この発明の一実施の形態に係る餌箱を示した斜視図である。
【図２】図１の容器本体に蓋体を閉じた状態における断面図である。
【図３】図１の容器本体の成形方法の一例を説明するために示した分解図である。
【図４】図１の餌箱の一使用形態を示した斜視図である。
【図５】図４の取付け部位を拡大して断面図である。
【符号の説明】
１０…容器本体、１０１…開口、１０２…折曲げ部、１１…仕切り部、１１１…凹部、１２、１３…第１及び第２の収容部、１４…フレーム部材、１５，１６…第１及び第２の蓋体、１７，１８…ヒンジ、２０…金型、２０１…挿通孔、２１…合成樹脂材、２２…蓋体。
【図１】
2004283015.tif 000003
【図２】
2004283015.tif 000004
【図３】
2004283015.tif 000005
【図４】
2004283015.tif 000006
【図５】
2004283015.tif 000007